(57)【要約】      （修正有）【課題】人体に良好にフィットさせることができて、人体に対する装着位置を安定させことができる人体装着型電子機器を提供する。【解決手段】機器本体１の両側の一対のバンド取付部６に連結ピン１０によってそれぞれ回転可能に取り付けられ、機器本体１を腕Ｒに着脱可能に装着する一対のバンド部材２と、これら一対のバンド部材２にそれぞれ回転可能に取り付けられ、腕Ｒに対面する機器本体１の本体ケース５の裏蓋７の外面に対して開閉可能に設けられ、かつ腕Ｒの装着面の形状に対応した湾曲形状に形成された一対のカバー部材３、４と、を備えている。従って、機器本体１に対してバンド部材２とカバー部材３、４とをそれぞれ別々に回転させることができるので、一対のカバー部材３、４を、機器本体１の裏蓋７の外面を覆った閉状態と裏蓋７の外面を露出した開状態とに移動させることができると共に、腕Ｒの装着面に沿って密着させることができる。【選択図】図１
2014238336.tif 000002
【特許請求の範囲】
【請求項１】
人体に対して装着可能とされる機器本体と、
カバー部材と、
を備え、
前記機器本体は内部に電子部品が設けられた筐体を有し、
前記筐体の外面は、前記機器本体が人体に装着されたときに人体に対向する側となる裏面を有し、
前記カバー部材は、一端が前記筐体に支持されて前記裏面に対して回転して、前記裏面に対して閉じて該裏面を覆っている閉状態と、前記裏面に対して開いて該裏面を露出している開状態と、に移動可能に設けられ、
前記カバー部材は、前記閉状態で前記機器本体が人体に装着されたときに人体に対向する側となる対向面を有し、該対向面が当該機器本体を装着する人体の装着面の形状に対応する湾曲形状をなしていることを特徴とする人体装着型電子機器。
【請求項２】
請求項１に記載の人体装着型電子機器において、
前記機器本体は、前記裏面に、外部機器と電気的に接続される接続端子部を外部に露出する開口部を有し、
前記カバー部材は、前記閉状態において前記開口部を覆い、前記開状態において前記開口部を露出して前記接続端子部を外部に露出することを特徴とする人体装着型電子機器。
【請求項３】
請求項１または請求項２に記載の人体装着型電子機器において、
前記裏面の前記閉状態で前記カバー部材で覆われる領域は平坦であり、
前記カバー部材は、前記裏面の一の方向に沿った両端側の厚みが厚く、前記裏面の中間部に向うに従って、前記一の方向に沿って徐々に厚みが薄くなる形状に形成されていることを特徴とする人体装着型電子機器。
【請求項４】
請求項１乃至請求項３のいずれかに記載の人体装着型電子機器において、
前記カバー部材は、第１のカバー部材と第２のカバー部材とに分割され、
前記第１のカバー部材は、前記閉状態のとき、前記裏面の前記一の方向に沿った一端側から前記裏面の中間部の領域を覆う形状に形成され、
前記第２のカバー部材は、前記閉状態のとき、前記裏面の前記一の方向に沿った、前記一端側とは逆の、他端側から前記裏面の中間部の領域を覆う形状に形成されていることを特徴とする人体装着型電子機器。
【請求項５】
請求項４に記載の人体装着型電子機器において、
前記機器本体の前記筐体は、前記一の方向に沿った両端側に、前記機器本体を人体に装着する一対のバンド部材の各々を取り付ける一対のバンド取付部を有し、
前記第１および第２のカバー部材は、前記機器本体の前記一対のバンド取付部の各々に、前記一対のバンド部材を取り付けるバンド取付軸を介して回転可能に取り付けられていることを特徴とする人体装着型電子機器。
【請求項６】
請求項５に記載の人体装着型電子機器において、
前記カバー部材を前記閉状態に保持するように位置規制する位置規制部を備えていることを特徴とする人体装着型電子機器。
【請求項７】
請求項４に記載の人体装着型電子機器において、
前記機器本体の前記筐体は、前記一の方向に沿った両端側に、前記機器本体を人体に装着する一対のバンド部材の各々を取り付ける一対のバンド取付部を有し、
前記一対のバンド部材の各々は、その一方の端部に設けられたバンド取付軸を介して前記一対のバンド取付部の各々に回転可能に取り付けられ、
前記第１及び第２のカバー部材は、前記一対のバンド部材の各々に、前記バンド取付軸と異なる位置に設けられたカバー取付軸を介して回転可能に取り付けられ、
前記カバー取付軸は、前記一対のバンド部材の各々において、前記バンド取付軸が設けられた前記一方の端部から他方の端部側に離間した位置に設けられ、前記第１及び第２のカバー部材が前記閉状態にされているとき、前記一対のバンド部材の各々の回転角度に対応して、前記第１及び第２のカバー部材の前記裏面に対する位置が変わることを特徴とする人体装着型電子機器。
【請求項８】
請求項７に記載の人体装着型電子機器において、
前記カバー部材を前記閉状態に保持するように位置規制する第１位置規制部と、前記カバー部材を前記開状態に保持するように位置規制する第２位置規制部と、を備えていることを特徴とする人体装着型電子機器。
【請求項９】
請求項１乃至請求項８のいずれかに記載の人体装着型電子機器において、
前記カバー部材は軟質の合成樹脂によって形成され、
前記カバー部材が前記閉状態とされて、前記カバー部材が前記裏面を覆っているときに、前記裏面と前記カバー部材の前記裏面に対向する側の面との間に空気層が形成されていることを特徴とする人体装着型電子機器。
【請求項１０】
請求項９に記載の人体装着型電子機器において、
前記カバー部材は、前記閉状態で前記カバー部材が前記裏面を覆っているときに前記裏面に対向する側となる面に凹部状の断熱空間部を有し、
前記空気層は、前記閉状態で前記カバー部材が前記裏面を覆っているときに、前記断熱空間部内に形成されることを特徴とする人体装着型電子機器。
【請求項１１】
請求項１乃至請求項１０のいずれかに記載の人体装着型電子機器において、
前記カバー部材を形成している軟質の合成樹脂は、ウレタン樹脂またはシリコーン樹脂であることを特徴とする人体装着型電子機器。
【請求項１２】
人体に対して装着可能とされる機器本体と、
カバー部材と、
を備え、
前記機器本体は内部に電子部品が設けられた筐体を有し、
前記筐体の外面は、前記機器本体が人体に装着されたときに人体に対向する側となる裏面を有し、
前記機器本体は、前記裏面に設けられた、外部機器と電気的に接続される接続端子部を外部に露出する開口部を有し、
前記カバー部材は、一端が前記筐体に支持されて前記裏面に対して回転して、前記裏面に対して閉じて該裏面を覆っている閉状態と、前記蓋面に対して開いて該裏面を露出している開状態と、に移動可能に設けられ、
前記カバー部材は、前記開状態において、前記開口部を露出して前記接続端子部を外部に露出することを特徴とする人体装着型電子機器。
【請求項１３】
請求項１２に記載の人体装着型電子機器において、
前記カバー部材は、第１のカバー部材と第２のカバー部材とに分割され、
前記第１のカバー部材は、前記閉状態のとき、前記裏面の前記一の方向に沿った一端側から前記裏面の中間部の領域を覆う形状に形成され、
前記第２のカバー部材は、前記閉状態のとき、前記裏面の前記一の方向に沿った、前記一端側とは逆の、他端側から前記裏面の中間部の領域を覆う形状に形成されていることを特徴とする人体装着型電子機器。
【請求項１４】
請求項１３に記載の人体装着型電子機器において、
前記機器本体の前記筐体は、前記一の方向に沿った両端側に、前記機器本体を人体に装着する一対のバンド部材の各々を取り付ける一対のバンド取付部を有し、
前記一対のバンド部材の各々は、その一方の端部に設けられたバンド取付軸を介して前記一対のバンド取付部の各々に回転可能に取り付けられ、
前記第１及び第２のカバー部材は、前記一対のバンド部材の各々に、前記バンド取付軸と異なる位置に設けられたカバー取付軸を介して回転可能に取り付けられ、
前記カバー取付軸は、前記一対のバンド部材の各々において、前記バンド取付軸が設けられた前記一方の端部から他方の端部側に離間した位置に設けられ、前記第１及び第２のカバー部材が前記閉状態にされているとき、前記一対のバンド部材の各々の回転角度に対応して、前記第１及び第２のカバー部材の前記裏面に対する位置が変わることを特徴とする人体装着型電子機器。
【発明の詳細な説明】
【技術分野】
【０００１】
この発明は、腕時計、脈拍計、歩数計、携帯情報処理端末機などの人体に装着して使用する人体装着型電子機器に関する。
【背景技術】
【０００２】
例えば、腕に装着して使用する腕時計タイプの電子機器においては、特許文献１に記載されているように、機器本体の両側にバンド部材を回転可能に取り付けると共に、このバンド部材に保護部材を回転可能に取り付けた構成のものが知られている。
【先行技術文献】
【特許文献】
【０００３】
【特許文献１】特開２００２−６２３７３号公報
【０００４】
この腕時計タイプの電子機器では、バンド部材によって機器本体を腕に取り付ける際に、バンド部材と腕との間に保護部材を介在させて、保護部材を腕に押し当てることにより、腕に対するフィット感を向上させるように構成されている。
【発明の概要】
【発明が解決しようとする課題】
【０００５】
このような腕時計タイプの電子機器では、腕に装着した際に、保護部材は腕に密着した状態となるが、機器本体の裏面は殆ど腕に密着していない状態となる。この場合、機器本体は通常バンド部材より重量が重いため、腕に対する機器本体の装着位置が安定しない。そのため、この電子機器を腕に装着して使用しているときに、機器本体の装着位置が腕の周りでずれ易い。
【０００６】
この発明が解決しようとする課題は、人体に良好にフィットさせて、人体に対する装着位置を安定させることができる人体装着型電子機器を提供することである。
【課題を解決するための手段】
【０００７】
この発明は、人体に対して装着可能とされる機器本体と、カバー部材と、を備え、前記機器本体は内部に電子部品が設けられた筐体を有し、前記筐体の外面は、前記機器本体が人体に装着されたときに人体に対向する側となる裏面を有し、前記カバー部材は、一端が前記筐体に支持されて前記裏面に対して回転して、前記裏面に対して閉じて該裏面を覆っている閉状態と、前記裏面に対して開いて該裏面を露出している開状態と、に移動可能に設けられ、前記カバー部材は、前記閉状態で前記機器本体が人体に装着されたときに人体に対向する側となる対向面を有し、該対向面が当該機器本体を装着する人体の装着面の形状に対応する湾曲形状をなしていることを特徴とする人体装着型電子機器である。
【発明の効果】
【０００８】
この発明によれば、人体に着脱可能に装着される機器本体の裏蓋の外面を開閉可能に覆うカバー部材を有し、カバー部材の人体に対向する側の面が人体の装着面の形状に対応した湾曲形状に形成されていることにより、カバー部材を介して機器本体を人体に良好にフィットさせて、機器本体を人体に対して安定して装着させることができるとともに、カバー部材を開けることで機器本体の裏蓋の外面を容易に露出させて、この裏面を外部機器との接続等に利用することができる。
【図面の簡単な説明】
【０００９】
【図１】この発明を腕装着型の電子機器に適用した第１実施形態を示した側面図である。
【図２】図１に示された腕装着型の電子機器を上下反転させて示した斜視図である。
【図３】図１に示された腕装着型の電子機器において、カバー部材を回転させて開いて機器本体の裏蓋の外面を露出させた状態で、クレードルと電気的に接続する状態を示した側面図である。
【図４】図１に示された腕装着型の電子機器において、カバー部材を回転させて開いて機器本体の裏蓋の外面を露出させた状態を示した要部の拡大斜視図である。
【図５】図４に示された一対のカバー片の各先端部に設けられた位置規制部を示した要部の拡大斜視図である。
【図６】図４に示された一対のカバー部材の一方を示した拡大斜視図である。
【図７】図２に示された腕装着型の電子機器のＡ−Ａ矢視において、上下反転させた状態を示した要部の拡大断面図である。
【図８】図１に示された腕装着型の電子機器のＢ−Ｂ矢視における要部の拡大断面図である。
【図９】図８に示された腕装着型の電子機器における押え板を示した拡大斜視図である。
【図１０】この発明を腕装着型の電子機器に適用した第２実施形態を示した側面図である。
【図１１】図１０に示された腕装着型の電子機器を上下反転させて示した斜視図である。
【図１２】図１０に示された腕装着型の電子機器において、カバー部材を回転させて開いて、機器本体の裏蓋の外面を露出させた状態を示した要部の拡大斜視図である。
【図１３】図１２に示された腕装着型の電子機器において、機器本体に対するバンド部材の取付個所およびこのバンド部材に対するカバー部材の取付個所を示した拡大図である。
【図１４】図１４に示された腕装着型の電子機器のＣ−Ｃ矢視における要部の拡大断面図である。
【図１５】図１４に示された腕装着型の電子機器のＤ−Ｄ矢視における要部の拡大断面図である。
【図１６】（ａ）は図１０に示された腕装着型の電子機器を細い腕に取り付ける状態を示した側面図であり、（ｂ）は図１０に示された腕装着型の電子機器を太い腕に取り付ける状態を示した側面図である。
【図１７】図１４に示された位置規制部の変形例において、一対のカバー部材を所定角度に開いて位置規制した状態を示した側面図である。
【図１８】この発明の腕装着型の電子機器におけるカバー部材の断熱部の変形例を示し、（ａ）はその要部を示した拡大断面図、（ｂ）はそのカバー部材の要部を示した拡大斜視図である。
【発明を実施するための形態】
【００１０】
以下においては、本発明に係わる人体装着型電子機器を人体の腕に装着する腕装着型の電子機器に適用した場合について説明し、この腕装着型の電子機器が腕時計タイプの電子機器である場合について説明するが、本発明はこの腕時計タイプの電子機器に限るものではなく、例えば脈拍計、血圧計、歩数計などの種々の電子機器にも同様に適用することができる。
（第１実施形態）
以下、図１〜図９を参照して、この発明を腕装着型の電子機器に適用した第１実施形態について説明する。
この腕装着型の電子機器は、腕時計タイプの電子機器であって、図１〜図３に示すように、機器本体１と、この機器本体１を腕Ｒに装着するための一対のバンド部材２と、機器本体１を腕Ｒに装着したときに機器本体１の、腕Ｒの機器本体１が装着される面（以下、装着面とも記す）に対向する側となる、機器本体１の裏面を開閉可能に覆う一対のカバー部材３、４とを備えている。
【００１１】
機器本体１は、図１および図２に示すように、本体ケース（筐体）５を備えている。この本体ケース５は、例えば長方形のほぼ箱状に形成されており、この本体ケース５の内部には、機器モジュール（図示せず）が設けられている。この機器モジュールは、入力表示部などの情報処理に必要な各種の電子部品を備えている。ここで、腕Ｒはこの腕装着型の電子機器を装着した人体の腕の断面形状の概略を示している。
【００１２】
また、この本体ケース５の外面における機器本体１を腕Ｒに装着したときに腕Ｒに対向する面を裏面として、この裏面における腕Ｒの延在方向に直交する方向に沿った両端側には、図１および図７に示すように、一対のバンド取付部６が設けられている。このバンド取付部６は、図８に示すように、裏面側に向けて突出する一対の突起部６ａを有し、これら一対の突起部６ａが本体ケース５の裏面における端部に所定間隔離れて設けられた構成になっている。これら一対の突起部６ａには、ピン挿入孔６ｂが同一軸上に設けられている。
【００１３】
また、この本体ケース５の裏面には、図１〜図４に示すように裏蓋７が設けられている。この裏蓋７には、例えば、図３〜図５に示すように、コネクタ８を裏蓋７から裏面側に露呈させる開口部７ａが設けられている。このコネクタ８は、本体ケース５内の機器モジュールと電気的に接続されている。
【００１４】
このコネクタ８は、図３に示すクレードル９に設けられた接続部９ａに着脱可能に接続されるように構成されている。機器本体１とクレードル９とは、コネクタ８と接続部９ａとが電気的に接続された際に、その両者の間でデータの授受が行われたり、機器本体１の充電などが行われたり、するように構成されている。
【００１５】
一方、一対のバンド部材２は、ウレタン樹脂などの軟質の合成樹脂からなり、図７および図８に示すように、本体ケース５の裏面に設けられた一対のバンド取付部６に、各連結ピン１０を介してそれぞれ回転可能に取り付けられている。これら一対のバンド部材２のバンド取付部６側の各端部には、一対のバンド突起部２ａがそれぞれ設けられている。
【００１６】
このバンド突起部２ａは、図８に示すように、本体ケース５の一対のバンド取付部６における各一対の突起部６ａの外部両側に配置されるように、一対のバンド部材２の各端部に突出して形成されている。また、これら一対のバンド突起部２ａの各々には、ピン挿入孔２ｂが、一対の突起部６ａの各ピン挿入孔６ｂに対応して設けられている。
【００１７】
これにより、各バンド部材２は、図７および図８に示すように、一対のバンド突起部２ａがバンド取付部６の一対の突起部６ａの外部両側に配置されて、一対のバンド突起部２ａの各ピン挿入孔２ｂがバンド取付部６の一対の突起部６ａに設けられた各ピン挿入孔６ｂに対応し、この状態で一対のバンド突起部２ａの各ピン挿入孔２ｂおよびバンド取付部６の各ピン挿入孔６ｂに、取付ピン２０が挿入される。これにより、各バンド部材２は、本体ケース５の各バンド取付部６に上下方向に回転可能に取り付けられるように構成されている。
【００１８】
一対のカバー部材３、４は、図１〜図４に示すように、それぞれ機器本体１の裏面のほぼ半分の大きさ、つまり本体ケース５の裏面に設けられた裏蓋７の外面のほぼ半分の大きさに形成され、カバー部材３とカバー部材４とによって裏蓋７の外面のほぼ全体を覆うように構成されている。これら一対のカバー部材３、４のそれぞれにおける裏蓋７の外面に対向する側の面には断熱部１１が設けられている。これら一対のカバー部材３、４は、それぞれウレタン樹脂またはシリコーン樹脂などの軟質の合成樹脂で形成されている。なお、各バンド部材２がウレタン樹脂で形成されている場合には、各カバー部材３も、同じウレタン樹脂で形成されていることが望ましい。
【００１９】
この場合、一対のカバー部材３、４は、図１、図６および図７に示すように、裏蓋７の外面を覆うように配置された際に、一対のカバー部材３、４全体の腕Ｒの対向面に対向する側の面（以下、対向面とも記す）が腕Ｒの装着面の曲面形状に概ね沿った湾曲形状をなすように形成されている。すなわち、裏蓋７の外面の一対のカバー部材３、４で覆われる面は平坦であり、一対のカバー部材３、４は、本体ケース５の両側に位置する一対のバンド取付部６にそれぞれ対応する側の各端部の厚みが厚く、裏蓋７の外面の中間部に対応する各先端部に向うに従って、腕Ｒの延在方向に直交する方向に沿って徐々に厚みが薄くなり、裏蓋７の外面に対向する側の面の断熱部１１を除く部分が平坦で、腕Ｒの装着面に対向する側の対向面が湾曲した形状をなすように形成されている。
【００２０】
これにより、一対のカバー部材３、４は、図１および図７に示すように、裏蓋７の外面を覆うように配置された際に、一対のカバー部材３、４全体が一対のバンド取付部６側の各端部側から裏蓋７の外面の中間部に向けて徐々に厚みが薄くなり、対向面が腕Ｒの装着面の曲面形状に概ね沿った湾曲形状をなし、一対のカバー部材３、４の対向面が腕Ｒの装着面に良好に密着するように構成されている。
【００２１】
また、これら一対のカバー部材３、４の各断熱部１１は、図６および図７に示すように、各カバー部材３、４の裏蓋７の外面に対向する側の面に設けられた凹部状の断熱空間部である。この断熱空間部内には空気層が存在し、この空気層が熱の伝達を抑制する断熱効果をもたらす。すなわち、ウレタン樹脂の熱伝導率は０．１２〜０．１８Ｗ／ｍ・ｋであり、シリコーン樹脂の熱伝導率は０．１５〜０．１７Ｗ／ｍ・ｋであるのに対し、空気の熱伝導率は０．０２４Ｗ／ｍ・ｋであり、空気の熱伝導率はウレタン樹脂やシリコーン樹脂の熱伝導率のおよそ１／１０である。
【００２２】
このため、空気層が存在することで、空気層が存在しないときに比べて、熱の伝達を大きく抑制することができる。これら各断熱部１１である各断熱空間部の深さは各カバー部材３、４の厚みに対応しており、本体ケース５の両側に位置する一対のバンド取付部６側が深く、裏蓋７の外面の中間部に位置する各先端部に向うに従って次第に浅くなるように形成されている。
【００２３】
さらに、各断熱部１１である各断熱空間部の両側部には、図６に示すように、断熱空間部内の空気を外部と流通させて、断熱空間部内の熱を外部に放熱するための放熱路１１ａがそれぞれ設けられている。この放熱路１１ａは、必ずしも断熱空間部の両側部に設けられている必要はなく、片側のみに設けられた構成であっても良い。
【００２４】
また、一対のカバー部材３、４は、図１〜図４、図７に示すように、その各一端部が機器本体１の一対のバンド取付部６に、一対のバンド部材２をそれぞれ取り付けている各連結ピン１０を介して回転可能に取り付けられている。一対のカバー部材３、４のうち、一方のカバー部材３は、図８に示すように、バンド取付部６側の一端部に一対のカバー突起部３ａが設けられている。
【００２５】
これら一対のカバー突起部３ａは、図８に示すように、それぞれバンド部材２における一対のバンド突起部２ａの外部両側にそれぞれ配置されるように構成されている。また、これら一対のカバー突起部３ａには、ピン挿入孔３ｂが一対のバンド突起部２ａの各ピン挿入孔２ｂにそれぞれ対応して設けられている。
【００２６】
同様に、他方のカバー部材４は、図８に示すように、バンド取付部６側の一端部に一対のカバー突起部４ａがそれぞれ設けられている。これら一対のカバー突起部４ａは、それぞれバンド部材２における一対のバンド突起部２ａの外部両側にそれぞれ配置されるように構成されている。また、これら一対のカバー突起部４ａにも、ピン挿入孔４ｂが一対のバンド突起部２ａの各ピン挿入孔２ｂにそれぞれ対応して設けられている。
【００２７】
これにより、一対のカバー部材３、４のうち、一方のカバー部材３は、図８に示すように、一対のカバー突起部３ａが各バンド部材２における一対のバンド突起部２ａの外部両側にそれぞれ配置されて、一対のカバー突起部３ａの各ピン挿入孔３ｂが、各バンド部材２の一対のバンド突起部２ａの各ピン挿入孔２ｂおよび各バンド取付部６における一対の突起部６ａの各ピン挿入孔６ｂと同一軸となるように構成されている。
【００２８】
また、この一方のカバー部材３は、図７および図８に示すように、一対のカバー突起部３ａの各ピン挿入孔３ｂが、各バンド部材２における一対のバンド突起部２ａの各ピン挿入孔２ｂと同一軸とされた状態で、カバー突起部３ａの各ピン挿入孔３ｂ、各バンド突起部２ａの各ピン挿入孔２ｂ、およびバンド取付部６の各ピン挿入孔６ｂに、連結ピン１０が挿入される。これにより、一方のカバー部材３は、各バンド部材２と共に各バンド取付部６に上下方向に回転可能に取り付けられるように構成されている。
【００２９】
同様に、一対のカバー部材３、４のうち、他方のカバー部材４は、図８に示すように、一対のカバー突起部４ａが各バンド部材２における一対のバンド突起部２ａの外部両側にそれぞれ配置されて、一対のカバー突起部４ａの各ピン挿入孔４ｂが、各バンド部材２の一対のバンド突起部２ａの各ピン挿入孔２ｂおよび各バンド取付部６における一対の突起部６ａの各ピン挿入孔６ｂと同一軸となるように構成されている。
【００３０】
また、この他方のカバー部材４は、図７および図８に示すように、一対のカバー突起部４ａの各ピン挿入孔４ｂが、各バンド部材２における一対のバンド突起部２ａの各ピン挿入孔２ｂに対応した状態で、カバー突起部４ａの各ピン挿入孔４ｂ、各バンド部材２の各ピン挿入孔２ｂ、およびバンド取付部６の各ピン挿入孔５ｂに、連結ピン１０が挿入される。これにより、他方のカバー部材４は、各バンド部材２と共に各バンド取付部６に上下方向に回転可能に取り付けられるように構成されている。
【００３１】
この場合、一対のバンド取付部６に位置する各カバー部材３、４の各端部は、図７〜図９に示すように、押え板１２によってそれぞれ押えられている。この押え板１２は、例えば金属板からなり、各カバー部材３、４の各端部に配置された状態で、その両端部がそれぞれ一対のカバー突起部３ａを跨ぐように折り曲げられ、この折り曲げられた一対の折曲部１２ａが一対のカバー突起部３ａを跨いだ状態で、その各外面に対応して配置されるように構成されている。
【００３２】
また、この押え板１２は、図８および図９に示すように、一対の折曲部１２ａに取付孔１２ｂがそれぞれ設けられ、この各取付孔１２ｂが一方のカバー部材３のカバー突起部３ａのピン挿入孔３ｂに対応し、この状態でカバー突起部３ａのピン挿入孔３ｂに挿入された連結ピン１０の先端部が各取付孔１２ｂに挿入されるように構成されている。これにより、この押え板１２は、バンド取付部６に取り付けられて、バンド部材２の一対のバンド突起部２ａおよび一方のカバー部材３の一対のカバー突起部３ａを押えるように構成されている。
【００３３】
同様に、この押え板１２は、図８および図９に示すように、一対の折曲部１２ａにそれぞれ設けられた各取付孔１２ｂが他方のカバー部材４のカバー突起部４ａのピン挿入孔４ｂに対応し、この状態でカバー突起部４ａのピン挿入孔４ｂに挿入された連結ピン１０の先端部が各取付孔１２ｂに挿入されるように構成されている。これにより、この押え板１２は、バンド取付部６に取り付けられて、バンド部材２の一対のバンド突起部２ａおよび他方のカバー部材４の一対のカバー突起部４ａを押えるように構成されている。
【００３４】
連結ピン１０は、図８に示すように、例えばばね棒であり、パイプ部１０ａ内の両端部に一対のピン部１０ｂがそれぞれ出没可能に配置され、この状態でパイプ部１０ａ内に設けられたコイルばね（図示せず）のばね力によって一対のピン部１０ｂが押し出されるように構成されている。これにより、連結ピン１０は、パイプ部１０ａがバンド取付部６のピン挿入孔５ｂ、バンド部材２のピン挿入孔２ｂ、およびカバー部材３、４の各ピン挿入孔３ｂ、４ｂ内に挿入するように構成されている。
【００３５】
また、この連結ピン１０は、図８に示すように、パイプ部１０ａがバンド取付部６のピン挿入孔５ｂ、バンド部材２のピン挿入孔２ｂ、およびカバー部材３、４のピン挿入孔３ｂ、４ｂ内に挿入された状態で、パイプ部１０ａの両端に位置する一対のピン部１０ｂがコイルばねのばね力に抗してパイプ部１０ａ内に押し込まれて、押え板１２の取付孔１２ｂに対応することにより、一対のピン部１０ｂがコイルばねのばね力によって押し出されて押え板１２の取付孔１２ｂに挿入するように構成されている。
【００３６】
一対のカバー部材３、４は、図２、図４および図５に示すように、機器本体１の裏蓋７の外面を覆うように配置された際に、位置規制部１３によってその配置位置に位置規制されるように構成されている。この位置規制部１３は、カバー部材３、４のうち、一方のカバー部材３の先端部に設けられた係合突起部１４と、他方のカバー部材４の先端部に設けられて一方のカバー部材３の係合突起部１４が係合する係止凹部１５とを備えている。
【００３７】
この場合、一方のカバー部材３に設けられた係合突起部１４の両側部には、図５に示すように、凹み形状を有し、カバー部材３の厚さ方向の長さが第１の値を有し、カバー部材３の厚さ方向に直交する方向の長さが第２の値を有し、第２の値が第１の値より大きい長凹部１４ａがそれぞれ設けられている。また、他方のカバー部材４に設けられた係止凹部１５内における互いに対向する両端部には、係合突起部１４の長凹部１４ａに係合するように突起したピン状の凸部１５ａがそれぞれ設けられている。
【００３８】
また、一方のカバー部材３と他方のカバー部材４とは、図４および図５に示すように、それぞれウレタン樹脂やシリコーン樹脂などの軟質の合成樹脂で形成されている。これにより、一方のカバー部材３の係合突起部１４と他方のカバー部材４の係止凹部１５とが係合する際に、その両方がそれぞれ弾性変形して弾力的に係合するように構成されている。
【００３９】
これにより、位置規制部１３は、図２、図４および図５に示すように、一対のカバー部材３、４が機器本体１の裏蓋７の外面を覆うように配置されて裏蓋７を覆った際に、一方のカバー部材３の先端部に設けられた係合突起部１４が、これに対応する他方のカバー部材４の先端部に設けられた係止凹部１５に係合して、係合突起部１４の各長凹部１４ａに係止凹部１５の各凸部１５ａが弾力的に係合することにより、一対のカバー部材３、４を位置規制して、各カバー部材３、４が不用意に分離して回転して開くことを防ぐことができる。
【００４０】
また、例えばコネクタ８とクレードル９の接続部９ａとを接続する際に、一対のカバー部材３、４をそれぞれ弾性変形させて、係止凹部１５の各凸部１５ａを係合突起部１４の各長凹部１４ａから弾力的に離脱させ、両者の係合を解除させて、一対のカバー部材３、４を下方向に回転させて開いて、裏蓋７の外面を露出させることが容易にできるように構成されている。
【００４１】
次に、この腕装着型の電子機器を腕Ｒに取り付けて使用する場合について説明する。
この場合には、まず、図２に示すように、一対のカバー部材３、４を機器本体１の裏蓋７の外面を覆うように配置させ、この状態で一対のカバー部材３、４を介して機器本体１を腕Ｒに配置させて、機器本体１を一対のバンド部材２によって腕Ｒに取り付ける。すなわち、機器本体１の一対のバンド取付部６に位置する各連結ピン１０を中心に、一対のカバー部材３、４を回転させて、一対のカバー部材３、４を機器本体１の本体ケース５の裏蓋７の外面を覆うように配置させる。
【００４２】
このときには、一対のカバー部材３、４の各先端部に設けられた位置規制部１３の係合突起部１４が、これに対向する係止凹部１５に係合して、係合突起部１４の各長凹部１４ａに係止凹部１５の各凸部１５ａが弾力的に係合する。これにより、一対のカバー部材３、４が本体ケース５の裏蓋７の外面を覆った状態に保持されるように位置規制される。この状態で、機器本体１の本体ケース５を一対のバンド部材２によって腕Ｒに取り付けた際には、一対のカバー部材３、４の腕Ｒの装着面に対向する側の面が腕Ｒの装着面に良好に密着して、腕Ｒに良好にフィットした状態で、本体ケース５が腕Ｒに取り付けられる。
【００４３】
すなわち、一対のカバー部材３、４は、ウレタン樹脂やシリコーン樹脂などの軟質の合成樹脂からなり、本体ケース５の両側に位置する一対のバンド取付部６にそれぞれ対応する両端部の厚みが厚く、裏蓋７の外面の中間部に位置する各先端部に向けて徐々に厚みが薄くなる形状に形成され、その腕Ｒの装着面に対向する側の対向面が腕Ｒの装着面の曲面形状に概ね沿った湾曲形状に形成されていることにより、一対のカバー部材３、４全体の対向面が腕Ｒの装着面に良好に密着する。これにより、一対のカバー部材３、４が腕Ｒと本体ケース５の裏蓋７の外面との間の隙間に配置されて、腕Ｒに良好にフィットした状態で、本体ケース５が腕Ｒに取り付けられる。
【００４４】
この状態で、機器本体１を操作して情報処理等を行った際には、本体ケース５内に組み込まれた機器モジュールの電子部品が発熱する。これに対し、一対のカバー部材３、４は断熱部１１を有している。このため、本体ケース５内で発生した電子部品の発熱による熱は、一対のカバー部材３、４の各断熱部１１によって断熱されて、本体ケース５から腕Ｒの装着面への熱の伝達が抑制される。これにより、腕Ｒに伝わる熱は断熱部１１がない場合に比べて大きく減少し、腕Ｒの装着面の温度上昇は断熱部１１がない場合に比べて大きく減少する。このため、本体ケース５内の電子部品の発熱に起因して腕Ｒに低温やけどが発生することを良好に防ぐことができる。
【００４５】
また、機器本体１内の熱を放熱する場合には、機器本体１を腕Ｒから取り外し、図４に示すように、一対のカバー部材３、４を回転させて開いて、機器本体１の裏蓋７の外面を露出させれば良い。この場合には、一対のカバー部材３、４の各先端部に設けられた位置規制部１３の係合突起部１４の長凹部１４ａから、これに対向する係止凹部１５の凸部１５ａを弾力的に離脱させて、係合突起部１４と係止凹部１５との係合を解除させる。この状態で、各連結ピン１０を中心に一対のカバー部材３、４を本体ケース５の裏蓋７の下側に向けて回転させて開いて、裏蓋７の外面を露出させる。これにより、機器本体１内の熱が速やかに放熱されて、機器本体１内が冷却される。
【００４６】
さらに、機器本体１をクレードル９に接続してデータの授受または機器本体１の充電等を行う場合にも、機器本体１を腕Ｒから取り外し、図４に示すように、係合突起部１４と係止凹部１５との係合を解除させて、一対のカバー部材３、４を回転させて開いて、機器本体１の裏蓋７の外面を露出させる。すると、裏蓋７に設けられた開口部７ａからコネクタ８が、裏蓋７から裏面側に露呈する。この状態で、機器本体１の裏蓋７をクレードル９の上面に配置させて、コネクタ８をクレードル９の接続部９ａに接続する。これにより、機器本体１とクレードル９とが電気的に接続され、その両者の間でデータの授受または機器本体１の充電等を行うことができる。
【００４７】
さらに、このように裏蓋７にコネクタ８を露呈する開口部７ａが設けられている構成において、本体ケース５を腕Ｒに取り付けているときには、一対のカバー部材３、４により裏蓋７の外面が覆われた状態となる。このため、一対のカバー部材３、４によりコネクタ８に埃や人体の汗等が侵入することを防ぐことができる。
【００４８】
また、コネクタ８を使用したいときには、係合突起部１４と係止凹部１５との係合を解除させて一対のカバー部材３、４を開くことで、簡単に裏蓋７の外面を露出させて、コネクタ８を露呈させることができる。これにより、コネクタ８を外部環境から良好に保護することができるとともに、一対のカバー部材３、４を備えていても、それによってコネクタ８を使用する際の使い勝手を低下させないようにすることができる。
【００４９】
このように、この腕装着型の電子機器によれば、一対のバンド取付部６が両側に設けられた機器本体１と、この機器本体１の一対のバンド取付部６に連結ピン１０によってそれぞれ回転可能に取り付けられ、機器本体１を腕Ｒに着脱可能に装着する一対のバンド部材２と、これら一対のバンド部材２にそれぞれ回転可能に取り付けられ、腕Ｒの装着面に対向する機器本体１の裏蓋７の外面を開閉可能に覆い、かつ腕Ｒの装着面に対向する側の対向面が腕Ｒの装着面の曲面形状に概ね沿った湾曲形状に形成された一対のカバー部材３、４と、を備えていることにより、機器本体１の裏面側を保護するとともに、この電子機器を腕Ｒに装着したときに、電子機器を腕Ｒに良好にフィットさせることができる。
【００５０】
すなわち、この腕装着型の電子機器では、機器本体１に対して一対のバンド部材２と一対のカバー部材３、４とをそれぞれ別々に回転させて開くことができるので、一対のカバー部材３、４を回転させて開くことで機器本体１の裏蓋７の外面を露出することができると共に、一対のカバー部材３、４によって機器本体１の裏蓋７を覆うことができる。このため、一対のカバー部材３、４によって機器本体１の裏蓋７を保護することができると共に、腕Ｒへの装着時に一対のカバー部材３、４を腕Ｒの装着面に沿わせて腕Ｒに密着させることができるので、電子機器を腕Ｒに良好にフィットさせることができる。
【００５１】
この場合、一対のカバー部材３、４は、機器本体１の裏面側における両端部、つまり本体ケース５の両側に位置するバンド取付部６に対応する両端部の厚みが厚く、機器本体１の裏蓋７の外面の中間部に対応する各先端部に向けて徐々に厚みが薄く、腕Ｒの装着面に対向する側の対向面が湾曲形状に形成されているので、一対のカバー部材３、４を腕Ｒの装着面に沿って良好に密着させることができ、これにより一対のカバー部材３、４を腕Ｒに確実にかつ良好にフィットさせることができる。
【００５２】
また、この腕装着型の電子機器では、一対のカバー部材３、４は、機器本体１の一対のバンド取付部６に一対のバンド部材２を取り付ける各連結ピン１０にそれぞれ回転可能に取り付けられていることにより、各連結ピン１０を中心に一対のカバー部材３、４をそれぞれ回転させて、機器本体１の裏蓋７の外面を容易に開閉することができると共に、各連結ピン１０によって一対のカバー部材３、４を機器本体１に対して取り付けることができるので、一対のカバー部材３、４を機器本体１に取り付けるための各連結ピン１０を一対のバンド部材２と共用することができ、これにより部品点数の削減を図ることができる。
【００５３】
すなわち、一対のカバー部材３、４の各一端部には、一対のバンド部材２における各一対のバンド突起部２ａの外部両側に配置される一対のカバー突起部３ａ、４ａが設けられていることにより、一対のカバー部材３、４の各一対のカバー突起部３ａ、４ａを、一対のバンド部材２における各一対のバンド突起部２ａの外部両側に配置させた状態で、各一対のカバー突起部３ａ、４ａの各ピン挿入孔３ｂ、４ｂ、一対のバンド突起部２ａの各ピン挿入孔２ｂ、および一対の突起部５ａの各ピン挿入孔５ｂに、連結ピン１０を挿入するだけで、機器本体１に各バンド部材２と共に一対のカバー部材３、４を簡単にかつ容易に取り付けることができる。
【００５４】
また、この腕装着型の電子機器では、カバー部材３が軟質の合成樹脂によって形成されていることにより、機器本体１と腕Ｒとの間に一対のカバー部材３、４を介在させて、機器本体１を腕Ｒに取り付ける際に一対のカバー部材３、４を腕Ｒの装着面の曲面形状に沿って弾力的に湾曲変形させることができ、これによっても、一対のカバー部材３、４を腕Ｒに良好にフィットさせることができる。
【００５５】
さらに、この腕装着型の電子機器では、一対のカバー部材３、４がそれぞれ、機器本体１と腕Ｒとの間を断熱する断熱部１１を有しているので、各断熱部１１によって機器本体１内で発生した熱が腕Ｒに伝わり難いようにすることができる。さらに、断熱部１１である断熱空間部の両側に放熱路１１ａが設けられ、この放熱路１１ａによって断熱空間部内の熱を外部に放熱することができ、これによっても機器本体１内で発生した熱が腕Ｒに伝わり難いようにすることができる。これらにより機器本体１内で発生した熱に起因して腕Ｒに低温やけどが発生することを良好に防ぐことができる。
【００５６】
また、一対のカバー部材３、４の各断熱部１１は、一対のカバー部材３、４にそれぞれ設けられた凹部状の断熱空間部であることにより、一対のカバー部材３、４に各断熱部１１を簡単にかつ容易に設けることができると共に、凹部状の断熱空間部によって一対のカバー部材３、４を弾性変形し易くすることができるので、これによっても一対のカバー部材３、４を腕Ｒに弾力的にフィットさせることができる。
【００５７】
また、この腕装着型の電子機器は、機器本体１の裏蓋７の外面を覆うように一対のカバー部材３、４を配置させた状態で位置規制する位置規制部１３を備えていることにより、機器本体１の裏蓋７の外面を覆うように一対のカバー部材３、４を配置させた際に、位置規制部１３によって機器本体１の裏蓋７の外面を覆った状態で位置規制することができ、これにより機器本体１を腕Ｒに取り付ける際に、一対のカバー部材３、４が不用意に垂れ下がることがないので、機器本体１を腕Ｒに容易にかつ良好に取り付けることができる。
【００５８】
すなわち、この位置規制部１３は、一方のカバー部材３の先端部に設けられた係合突起部１４と、他方のカバー部材４の先端部に設けられた係止凹部１５とを備え、係合突起部１４の両側部に長凹部１４ａが設けられ、係止凹部１５内の両端部にピン状の凸部１５ａが設けられているので、一方のカバー部材３の係合突起部１４を、これに対応する他方のカバー部材４の係止凹部１５に係合させて、係合突起部１４の長凹部１４ａに係止凹部１５内の凸部１５ａを係合させることにより、一対のカバー部材３、４を良好に位置規制して、一対のカバー部材３、４が不用意に回転して開くことを防ぐことができる。
【００５９】
この場合、一対のカバー部材３、４は、ウレタン樹脂やシリコーン樹脂などの軟質の合成樹脂でそれぞれ形成されていることにより、その両方が係合する際にそれぞれ弾性変形して弾力的に係合させることができ、これにより一方のカバー部材３の係合突起部１４を、これに対応する他方のカバー部材４の係止凹部１５に係合させて、係合突起部１４の長凹部１４ａに係止凹部１５内の凸部１５ａを弾力的に係合させることが容易にできると共に、その両者の係合を簡単にかつ容易に解除することができるので、一対のカバー部材３、４を開閉する際の使い勝手を良くすることができる。
【００６０】
（第２実施形態）
次に、図１０〜図１７を参照して、この発明を腕装着型の電子機器に適用した第２実施形態について説明する。なお、図１〜図９に示された第１実施形態と同一部分には同一符号を付して説明する。
この腕装着型の電子機器は、図１０および図１１に示すように、機器本体１の一対のバンド取付部２１に一対のバンド部材２をそれぞれ取付ピン２０によって回転可能に取り付け、一対のカバー部材３、４を一対のバンド部材２のそれぞれに連結ピン１０によって回転可能に取り付けた構成であり、これ以外は第１実施形態とほぼ同じ構成になっている。
【００６１】
すなわち、一対のバンド部材２は、図１０および図１３に示すように、機器本体１の本体ケース５における両側部に設けられた一対のバンド取付部２１に各取付ピン２０によってそれぞれ回転可能に取り付けられている。この場合、これら一対のバンド部材２のバンド取付部２１側の各端部には、バンド突起部２２がそれぞれ設けられている。
【００６２】
このバンド突起部２２は、図１４に示すように、本体ケース５の一対のバンド取付部２１の各一対の突起部２１ａの内側に配置されるように、各バンド部材２の各端部に突出して形成されている。また、このバンド突起部２２には、ピン挿入孔２２ａが一対の突起部２１ａの各ピン取付孔２１ｂに対応して設けられている。
【００６３】
これにより、各バンド部材２は、図１３および図１４に示すように、バンド突起部２２がバンド取付部２１の一対の突起部２１ａの内側に配置されて、バンド突起部２２のピン挿入孔２２ａがバンド取付部２１の一対の突起部２１ａに設けられた各ピン取付孔２１ｂに対応するように構成されている。
【００６４】
また、各バンド部材２は、図１３および図１４に示すように、バンド突起部２２のピン挿入孔２２ａがバンド取付部２１の一対の突起部２１ａの各ピン取付孔２１ｂに対応した状態で、バンド突起部２２のピン挿入孔２２ａに取付ピン２０が挿入され、この取付ピン２０の先端部が一対のバンド取付部２１の各ピン取付孔２１ｂに挿入される。これにより、各バンド部材２は、本体ケース５の各バンド取付部２１に上下方向に回転可能に取り付けられるように構成されている。
【００６５】
この場合、取付ピン２０は、連結ピン１０と同様、例えばばね棒であり、図１４に示すように、パイプ部２０ａ内の両端部に一対のピン部２０ｂがそれぞれ出没可能に配置され、この状態でパイプ部２０ａ内に設けられたコイルばね（図示せず）のばね力によって一対のピン部２０ｂが押し出されるように構成されている。
【００６６】
これにより、取付ピン２０は、図１４に示すように、パイプ部２０ａが、バンド部材２のピン挿入孔２２ａ内に挿入し、この状態でパイプ部２０ａの両端に位置する一対のピン部２０ｂが本体ケース５の一対のバンド取付部２１に設けられた各ピン取付孔２１ａに挿入するように構成されている。
【００６７】
一方、一対のカバー部材３、４は、第１実施形態と同様、それぞれ機器本体１の裏面のほぼ半分の大きさ、つまり本体ケース５の裏面に設けられた裏蓋７の外面のほぼ半分の大きさに形成され、カバー部材３とカバー部材４とによって裏蓋７の外面のほぼ全体を覆うように構成されている。これら一対のカバー部材３、４のそれぞれにおける裏蓋７の外面に対向する側の面には断熱部１１が設けられている。
【００６８】
これら一対のカバー部材３、４は、第１実施形態と同様、それぞれウレタン樹脂またはシリコーン樹脂などの軟質の合成樹脂で形成されていれている。なお、各バンド部材２がウレタン樹脂で形成されている場合には、各カバー部材３も、同じウレタン樹脂で形成されていることが望ましい。
【００６９】
この場合にも、一対のカバー部材３、４は、第１実施形態と同様、バンド部材２側の各端部の厚みが厚く、裏蓋７の外面の中間部に対応する各先端部に向うに従って徐々に厚みが薄く、裏蓋７の外面に対向する側の面の断熱部１１を除く部分が平坦で、腕Ｒの装着面に対向する側の対向面が湾曲した形状に形成されている。これにより、一対のカバー部材３、４は、裏蓋７の外面を覆うように配置されて裏蓋７の外面を覆った際に、一対のカバー部材３、４全体の対向面が腕Ｒの装着面の曲面形状に概ね沿った湾曲形状をなすように形成され、これにより、一対のカバー部材３、４全体の対向面が腕Ｒの装着面に良好に密着するように構成されている。
【００７０】
また、これら一対のカバー部材３、４の各断熱部１１も、第１実施形態と同様、各カバー部材３、４の裏蓋７の外面に対向する側の面に設けられた凹部状の断熱空間部であり、その深さは各カバー部材３、４の厚みに対応し、一対のバンド部材２側が深く、裏蓋７の外面の中間部に対応する各先端部に向うに従って次第に浅くなるように形成されている。また、この場合にも、各断熱部１１である各断熱空間部の両側部には、断熱空間部内の熱を外部に放熱するための放熱路１１ａがそれぞれ設けられている。
【００７１】
本実施形態における一対のカバー部材３、４は、それぞれ、図１０〜図１３、図１５に示すように、バンド部材２側の各一端部が、各バンド部材２における取付ピン２０と異なる連結ピン１０によって各バンド部材２に取り付けられ、連結ピン１０により各バンド部材２に対してそれぞれ回転可能に取り付けられている。図１４に示すように、この連結ピン１０は、バンド部材２のバンド突起部２２が設けられた一端部からバンド部材２の他方の端部側に離間した位置に設けられている。この場合、一対のバンド部材２のそれぞれには、図１６に示すように、カバー部材３、４を取り付けるための一対の取付突起部２３が設けられている。
【００７２】
一対のカバー部材３、４のうち、一方のカバー部材３は、図１５に示すように、その一端部に一対のカバー突起部３ａが設けられている。これら一対のカバー突起部３ａは、それぞれバンド部材２に設けられた一対の取付突起部２３の外部両側にそれぞれ配置されるように構成されている。また、これら一対のカバー突起部３ａには、各ピン挿入孔３ｂが一対の取付突起部２３の各ピン挿入孔２３ａに対応して設けられている。
【００７３】
同様に、他方のカバー部材４は、図１５に示すように、その一端部に一対のカバー突起部４ａがそれぞれ設けられている。これら一対のカバー突起部４ａは、それぞれバンド部材２に設けられた一対の取付突起部２３の外部両側にそれぞれ配置されるように構成されている。また、これら一対のカバー突起部４ａには、各ピン挿入孔４ｂが一対の取付突起部２３の各ピン挿入孔２３ａに対応して設けられている。
【００７４】
これにより、一対のカバー部材３、４のうち、一方のカバー部材３は、図１５に示すように、一対のカバー突起部３ａが各バンド部材２における一対の取付突起部２３の外部両側にそれぞれ配置されて、一対のカバー突起部３ａの各ピン挿入孔３ｂが、各バンド部材２の一対の取付突起部２３の各ピン挿入孔２３ａと同一軸となるように構成されている。
【００７５】
また、この一方のカバー部材３は、図１５に示すように、一対のカバー突起部３ａの各ピン挿入孔３ｂが、各バンド部材２における一対の取付突起部２３の各ピン挿入孔２３ａに対応した状態で、カバー突起部３ａの各ピン挿入孔３ｂおよびバンド部材２の各ピン挿入孔２３ａに、連結ピン１０が挿入される。これにより、一方のカバー部材３は、各バンド部材２に連結ピン１０を介して上下方向に回転可能に取り付けられるように構成されている。
【００７６】
同様に、一対のカバー部材３、４のうち、他方のカバー部材４は、図１５に示すように、一対のカバー突起部４ａが各バンド部材２における一対の取付突起部２３の外部両側にそれぞれ配置されて、一対のカバー突起部４ａの各ピン挿入孔４ｂが、各バンド部材２の一対の取付突起部２３の各ピン挿入孔２３ａと同一軸となるように構成されている。
【００７７】
また、この他方のカバー部材４は、図１４および図１５に示すように、一対のカバー突起部４ａの各ピン挿入孔４ｂが、各バンド部材２における一対の取付突起部２３の各ピン挿入孔２３ａに対応した状態で、カバー突起部４ａの各ピン挿入孔４ｂ、およびバンド部材２の各ピン挿入孔２３ａに、連結ピン１０が挿入される。これにより、他方のカバー部材４は、各バンド部材２に連結ピン１０を介して上下方向に回転可能に取り付けられるように構成されている。
【００７８】
この場合、一対のバンド部材２に位置する各カバー部材３、４の各端部は、図１５に示すように、押え板１２によってそれぞれ押えられている。この押え板１２は、第１実施形態と同様、一対の折曲部１２ａにそれぞれ設けられた各取付孔１２ｂが一対のカバー突起部３ａ、４ａの各ピン挿入孔３ｂ、４ｂに対応するように構成されている。
【００７９】
これにより、押え板１２は、一対の折曲部１２ａの各取付孔１２ｂが一対のカバー突起部３ａ、４ａの各ピン挿入孔３ｂ、４ｂに対応した際に、取付突起部２３のピン挿入孔２３ａに挿入された連結ピン１０の先端部がそれぞれ挿入するように構成されている。これにより、この押え板１２は、バンド部材２の取付突起部２３に取り付けられて、一対のカバー部材３、４の各カバー突起部３ａ、４ａを押えるように構成されている。
【００８０】
一対のカバー部材３、４は、図１３に示すように、機器本体１の裏蓋７の外面に対する一対のカバー部材３、４の開閉位置を規制する一対の位置規制部２４を備えている。これら一対の位置規制部２４は、一対のカバー部材３、４が機器本体１の裏蓋７の外面を覆った位置に保持されるように位置規制する一対の第１規制部２５と、一対のカバー部材３、４が機器本体１の裏蓋７の外面を露出させた位置に保持されるように位置規制する一対の第２規制部２６と、を備えている。
【００８１】
すなわち、一対の位置規制部２４の各第１規制部２５は、図１３に示すように、一対のバンド部材２における各一対の取付突起部２３の各外端面に円弧状に設けられた各第１規制凹部２５ａと、一対のカバー部材３、４における一対の突起部３ａ、４ａの各内端面に設けられた各規制突起部２７とを備えている。ここで、各取付突起部２３の各外端面は各突起部３ａ、４ａの各内端面と対向する面であり、この各規制突起部２７が各第１規制凹部２５ａ内に移動可能に係合するように構成されている。
【００８２】
これにより、一対の位置規制部２４の各第１規制部２５は、図１３に示すように、機器本体１の裏蓋７を覆う位置に一対のカバー部材３、４が配置された際に、各規制突起部２７が各第１規制凹部２５ａに弾力的に係合して、一対のカバー部材３、４の回転位置を規制することにより、各カバー部材３、４が不用意に分離して回転し、カバー部材３、４が開くことを防ぐように構成されている。
【００８３】
この場合、各第１規制部２５は、図１３に示すように、各第１規制凹部２５ａが円弧状に形成されていることにより、各規制突起部２７が各第１規制凹部２５ａに弾力的に係合した状態で、一対のバンド部材２が押し広げられた際に、各規制突起部２７が各第１規制凹部２５ａの円弧に沿って移動するように構成されている。
【００８４】
また、一対の位置規制部２４の各第２規制部２６は、図１３に示すように、一対のバンド部材２における各一対の取付突起部２３の各外端面に設けられた各第２規制凹部２６ａと、一対のカバー部材３、４における一対の突起部３ａ、４ａの各内端面に設けられた各規制突起部２７とを備えている。
【００８５】
この各規制突起部２７が各第２規制凹部２６ａ内に係合するように構成されている。ここで、各第２規制凹部２６ａが設けられている各取付突起部２３の各外端面は各第１規制凹部２５ａが設けられている面と同じである。また、各第２規制部２６の各規制突起部２７は各第１規制部２５のものと同じである。
【００８６】
これにより、一対の位置規制部２４の各第２規制部２６は、図１３に示すように、一対のカバー部材３、４が回転して開いて、機器本体１の裏蓋７の外面が露出された際に、各規制突起部２７が各第２規制凹部２６ａに弾力的に係合して、一対のカバー部材３、４を位置規制することにより、各カバー部材３、４が不用意に回転して閉じるのを防ぐように構成されている。
【００８７】
この場合、一対のバンド部材２および一対のカバー部材３、４は、それぞれウレタン樹脂やシリコーン樹脂などの軟質の合成樹脂でそれぞれ形成されている。これにより、一対のバンド部材２の各第１規制凹部２５ａおよび第２規制凹部２６ａと一対のカバー部材３、４の各規制突起部２７とが係合する際に、その両方がそれぞれ弾性変形して弾力的に係合するように構成されている。
【００８８】
次に、この腕装着型の電子機器を腕Ｒに取り付けて使用する場合について説明する。
この場合には、まず、図１１に示すように、一対のカバー部材３、４を機器本体１の裏蓋７の外面を覆うように配置させる。このときには、一対のバンド部材２の各一対の取付突起部２３に取り付けられた連結ピン１０を中心に、一対のカバー部材３、４を回転させて、機器本体１の本体ケース５の裏蓋７の外面を覆うように配置させる。すると、一対の位置規制部２４の各第１規制部２５によって、一対のカバー部材３、４が本体ケース５の裏蓋７の外面を覆った状態に保持されるように位置規制される。
【００８９】
すなわち、各第１規制部２５は、図１１に示すように、一対のカバー部材３、４が回転して機器本体１の裏蓋７の外面を覆うように配置されると、一対のカバー部材３、４の各規制突起部２７が一対のバンド部材２の各第１規制凹部２５ａに弾力的に係合する。これにより、一対のカバー部材３、４が機器本体１の裏蓋７の外面を覆った状態に位置規制される。
【００９０】
この状態で、一対のカバー部材３、４を介して機器本体１を腕Ｒに配置させて、一対のバンド部材２によって取り付ける。このときには、機器本体１の本体ケース５に設けられた一対のバンド取付部２１における各一対の突起部２１ａに取り付けられた取付ピン２０を中心に一対のバンド部材２をそれぞれ回転させて、腕Ｒに装着させる。これにより、機器本体１が一対のカバー部材３、４を介して腕Ｒに取り付けられる。
【００９１】
この状態では、一対のカバー部材３、４の腕Ｒの装着面に対向する側の対向面が腕Ｒの装着面に良好に密着して、腕Ｒに良好にフィットした状態で、機器本体１が腕Ｒに取り付けられる。すなわち、一対のカバー部材３、４は、ウレタン樹脂やシリコーン樹脂などの軟質の合成樹脂からなり、本体ケース５の両側に位置する一対のバンド取付部６にそれぞれ対応する両端部の厚みが厚く、裏蓋７の外面の中間部に対応する各先端部に向けて徐々に厚みが薄くなる形状に形成され、その対向面が腕Ｒの装着面の曲面形状に概ね沿った湾曲形状に形成されていることにより、一対のカバー部材３、４全体の対向面が腕Ｒの装着面に良好に密着する。
【００９２】
これにより、一対のカバー部材３、４が腕Ｒと本体ケース５の裏蓋７の外面との隙間に配置されて腕Ｒに良好にフィットした状態で、本体ケース５が腕Ｒに取り付けられる。この場合には、腕Ｒの太さが細くても、また太くても、一対のカバー部材３、４が腕Ｒの装着面に良好に密着する。
【００９３】
ここで、本実施形態の腕装着型の電子機器の、腕Ｒの太さが比較的細い場合の腕Ｒに対する装着状態と、腕Ｒの太さが比較的太い場合の腕Ｒに対する装着状態について説明する。腕Ｒの太さが細い場合には、図１６（ａ）に示すように、一対のバンド部材２が機器本体１のバンド取付部６における一対の突起部６ａに取り付けられた取付ピン２０を中心に回転して細い腕Ｒに沿って装着される際に、一対のバンド部材２が互いに接近する方向に回転し、一対のカバー部材３、４が互いに接近する方向に移動する。
【００９４】
このときには、取付ピン２０を中心とする一対のバンド部材２の回転量に応じて、一対のカバー部材３、４が互いに接近する方向に移動し、一対のカバー部材３、４の各先端部が互いに接近する方向に移動する。これにより、一対のカバー部材３、４は、一対のカバー部材３、４の各先端部が互いに接近または当接した状態で、一対のカバー部材３、４が機器本体１の裏蓋７の外面を覆うように配置される。これにより、一対のカバー部材３、４の対向面が細い腕Ｒの装着面に良好に密着する。
【００９５】
一方、腕Ｒの太さが太い場合には、図１６（ｂ）に示すように、一対のバンド部材２が機器本体１のバンド取付部６における一対の突起部６ａに取り付けられた取付ピン２０を中心に回転して太い腕Ｒの曲面に沿って装着される際に、一対のバンド部材２が互いに離れる方向に回転し、一対のカバー部材３、４が互いに離れる方向に移動する。
【００９６】
このときには、取付ピン２０を中心とする一対のバンド部材２の回転量に応じて、一対のカバー部材３、４が互いに離れる方向に移動し、一対のカバー部材３、４の各先端部が互いに離れる方向に移動する。これにより、一対のカバー部材３、４は、一対のカバー部材３、４の各先端部が互いに離れた状態で、一対のカバー部材３、４が機器本体１の裏蓋７の外面を覆うように配置される。
【００９７】
これにより、一対のカバー部材３、４の対向面が太い腕Ｒの装着面に良好に密着する。このように、本実施形態の腕装着型の電子機器では、腕Ｒの太さが細くても太くても、一対のカバー部材３、４の対向面が腕Ｒの装着面に良好に密着して、腕Ｒに良好にフィットする。
【００９８】
また、本実施形態においても、第１実施形態の場合と同様に、機器本体１が腕Ｒに取り付けられている状態で機器本体１を使用しているときに腕Ｒに低温やけどが発生することを良好に防ぐことができる。すなわち、機器本体１を操作して情報処理等を行った際には、本体ケース５内に組み込まれた機器モジュールの電子部品が発熱するが、その熱が一対のカバー部材３、４の各断熱部１１によって断熱されて、本体ケース５から腕Ｒの装着面への熱の伝達が抑制される。このため、本体ケース５内の電子部品の発熱に起因して腕Ｒに低温やけどが発生することを良好に防ぐことができる。
【００９９】
また、機器本体１内の熱を放熱する場合には、機器本体１を腕Ｒから取り外し、図１２に示すように、一対のカバー部材３、４を回転させて開いて、機器本体１の裏蓋７の外面を露出させれば良い。この場合には、まず、一対のカバー部材３、４に設けられた一対の位置規制部２４の各第１規制部２５による位置規制を解除する。このときには、一対のカバー部材３、４を回転させて開いて、各第１規制部２５の各規制突起部２７を各第１規制凹部２５ａから弾力的に離脱させる。
【０１００】
この状態で、各連結ピン１０を中心に一対のカバー部材３、４を本体ケース５の裏蓋７の下側に向けて回転させて開いて、裏蓋７の外面を露出させる。すると、一対の位置規制部２４の各第２規制部２６によって一対のカバー部材３、４が開いた状態に保持されるように位置規制される。このときには、各第２規制部２６の各規制突起部２７が各第２規制凹部２６ａに弾力的に係合する。これにより、機器本体１内の熱が速やかに放熱されて、機器本体１内が冷却される。
【０１０１】
さらに、機器本体１をクレードル９に接続してデータの授受または機器本体１の充電等を行う場合にも、機器本体１を腕Ｒから取り外し、図１２に示すように、一対のカバー部材３、４を回転させて開いて、機器本体１の裏蓋７の外面を露出させる。すると、裏蓋７に設けられた開口部７ａからコネクタ８が、裏蓋７から裏面側に露呈する。
【０１０２】
この状態で、第１実施形態の図３に示した構成と同様に、機器本体１の裏蓋７をクレードル９の上面に配置させて、コネクタ８をクレードル９の接続部９ａに接続する。これにより、機器本体１とクレードル９とが電気的に接続され、その両者の間でデータの授受または機器本体１の充電等が行われる。
【０１０３】
さらに、本実施形態においても、このように裏蓋７にコネクタ８を露呈する開口部７ａが設けられている構成において、本体ケース５を腕Ｒに取り付けているときには、一対のカバー部材３、４により裏蓋７の外面が覆われた状態となる。このため、一対のカバー部材３、４によりコネクタ８に埃や人体の汗等が侵入することを防ぐことができる。
【０１０４】
また、コネクタ８を使用したいときには、係合突起部１４と係止凹部１５との係合を解除させて一対のカバー部材３、４を開くことで、簡単に裏蓋７の外面を露出させて、コネクタ８を露呈させることができる。これにより、コネクタ８を外部環境から良好に保護することができるとともに、一対のカバー部材３、４を備えていても、それによってコネクタ８を使用する際の使い勝手を低下させないようにすることができる。
【０１０５】
このように、本実施形態の腕装着型の電子機器によれば、第１実施形態と同様の作用効果があるほか、一対のカバー部材３、４が、一対のバンド部材２における取付ピン２０と異なる位置に設けられた連結ピン１０によってそれぞれ回転可能に取り付けられているので、腕Ｒの太さに応じて一対のカバー部材３、４を機器本体の裏面に沿って移動させることができる。これにより種々の太さの腕Ｒに対して一対のカバー部材３、４の対向面を腕Ｒの装着面に良好に密着させてフィットさせることができるので、一対のカバー部材３、４の形状を変えることなく、機器本体１を種々の人の腕Ｒに良好にフィットさせることができる。
【０１０６】
すなわち、この腕装着型の電子機器では、腕Ｒの太さが細い場合、一対のバンド部材２が機器本体１に取り付けられた取付ピン２０を中心に回転して細い腕Ｒに装着される際に、一対のバンド部材２が互いに接近する方向に回転し、一対のカバー部材３、４を互いに接近する方向に移動させることができ、これにより一対のカバー部材３、４の各先端部を互いに接近または当接させた状態で、一対のカバー部材３、４を機器本体１の裏蓋７の外面を覆うように配置させることができるので、一対のカバー部材３、４の対向面を細い腕Ｒの装着面に良好に密着させてフィットさせることができる。
【０１０７】
また、この腕装着型の電子機器では、腕Ｒの太さが太い場合、一対のバンド部材２が機器本体１に取り付けられた取付ピン２０を中心に回転して太い腕Ｒに装着される際に、一対のバンド部材２が互いに離れる方向に回転し、一対のカバー部材３、４を互いに引き離す方向に移動させることができ、これにより一対のカバー部材３、４の各先端部を互いに引き離した状態で、一対のカバー部材３、４を機器本体１の裏蓋７の外面を覆うように配置させることができるので、一対のカバー部材３、４の対向面を太い腕Ｒの装着面に良好に密着させてフィットさせることができる。
【０１０８】
また、この腕装着型の電子機器では、機器本体１の裏蓋７の外面に対する一対のカバー部材３、４の開閉位置を規制する位置規制部２４を備えているので、一対のカバー部材３、４が機器本体１の裏蓋７の外面を覆う際、または一対のカバー部材３、４が機器本体１の裏蓋７の外面を露出させた際に、位置規制部２４によって一対のカバー部材３、４を良好に位置規制することができる。
【０１０９】
すなわち、この位置規制部２４は、機器本体１の裏蓋７の外面を覆った位置に一対のカバー部材３、４を位置規制する第１規制部２５と、機器本体１の裏蓋７の外面を露出させた位置に一対のカバー部材３、４を位置規制する第２規制部２６と、を備えていることにより、一対のカバー部材３、４が機器本体１の裏蓋７の外面を覆う際に、第１規制部２５によって一対のカバー部材３、４を機器本体１の裏蓋７の外面を覆うように配置させた状態で位置規制することができ、また一対のカバー部材３、４が機器本体１の裏蓋７の外面を露出させた際に、第２規制部２６によって一対のカバー部材３、４を開いた状態で位置規制することができる。
【０１１０】
この場合、第１規制部２５は、一対のバンド部材２における各一対の取付突起部２３の各外端面に円弧状に設けられた各第１規制凹部２５ａと、一対のカバー部材３、４における一対の突起部３ａ、４ａの各内端面に設けられた各規制突起部２７とを備えているので、機器本体１の裏蓋７の外面を覆うように一対のカバー部材３、４が配置された際に、各規制突起部２７を各第１規制凹部２５ａに弾力的に係合させて、一対のカバー部材３、４を位置規制することができ、これにより一対のカバー部材３、４が不用意に分離して回転して開くことを防ぐことができる。
【０１１１】
この場合、第１規制部２５は、各第１規制凹部２５ａが円弧状に形成されていることにより、各規制突起部２７が各第１規制凹部２５ａに弾力的に係合した状態で、各規制突起部２７を各第１規制凹部２５ａの円弧に沿って移動させることができるので、腕Ｒの太さに応じて各第１規制凹部２５ａに対する各規制突起部２７の係合位置を移動させることができ、これにより一対のカバー部材３、４を腕Ｒの装着面に良好に密着させてフィットさせることができ、機器本体１を腕Ｒに良好に取り付けることができる。
【０１１２】
また、第２規制部２６は、一対のバンド部材２における各一対の取付突起部２３の各外端面に設けられた各第２規制凹部２６ａと、一対のカバー部材３、４における一対の突起部３ａ、４ａの各内端面に設けられた各規制突起部２７とを備え、この各規制突起部２７が各第２規制凹部２６ａ内に係合するので、一対のカバー部材３、４が開いて機器本体１の裏蓋７の外面が露出された際に、各規制突起部２７を各第２規制凹部２６ａに弾力的に係合させることができ、これにより一対のカバー部材３、４を位置規制することができるので、一対のカバー部材３、４が不用意に回転して閉じることを防ぐことができる。
【０１１３】
この場合、一対のバンド部材２および一対のカバー部材３、４は、それぞれウレタン樹脂やシリコーン樹脂などの軟質の合成樹脂でそれぞれ形成されていることにより、一対のバンド部材２の各第１規制凹部２５ａと一対のカバー部材３、４の各規制突起部２７とが係合する際に、その両方をそれぞれ弾性変形させて弾力的に係合させることができると共に、一対のバンド部材２の各第２規制凹部２６ａと一対のカバー部材３、４の各規制突起部２７とが係合する際に、その両方をそれぞれ弾性変形させて弾力的に係合させることができる。
【０１１４】
なお、上述した第１、第２の各実施形態では、位置規制部２４が第１規制部２５と第２規制部２６を備えた構成である場合について述べたが、これに限るものではない。例えば第１規制部２５と第２規制部２６との間に第３規制部を設けた構成であって良い。この場合、第３規制部は、第２規制部２６と同様、規制突起部２７が係合する第３規制凹部を備えていれば良い。このような第３規制部を備えていれば、図１８に示すように、一対のカバー部材３、４を所定角度に開いた状態で位置規制することができる。
【０１１５】
また、上述した第１、第２の各実施形態では、カバー部材４０の各断熱部１１が凹状の断熱空間部で形成されている場合について述べたが、必ずしも凹状の断熱空間部である必要はない。例えば図１８（ａ）および図１８（ｂ）に示す変形例のように、機器本体１の裏蓋７の外面に対向する一対のカバー部材３、４の各一面に複数の突起部３１を設け、これら複数の突起部３１によって機器本体１の裏蓋７の外面に対向する一対のカバー部材３、４の各一面と機器本体１との間に隙間を設け、この隙間によって空気層である断熱部３０を形成した構成であっても良い。
【０１１６】
また、上述した第１、第２の各実施形態では、バンド部材２にカバー部材４０を回転可能に取り付ける連結ピン１０として、ばね棒を用いた場合について述べたが、必ずしもばね棒である必要はなく、例えば、ねじ部材であっても良く、また単純な棒状部材であっても良い。
【０１１７】
さらに、上述した第１、第２の各実施形態では、本発明に係わる人体装着型電子機器を腕Ｒに装着して使用する腕装着型の電子機器に適用した場合について述べたが、装着する箇所は腕Ｒに限るものではなく、例えば指、足、胴などに装着して使用する電子機器であってもよい。また、このような電子機器としては、例えば脈拍計、血圧計、歩数計、携帯情報端末機などがあり、これらの電子機器にも本発明を良好に適用することができる。
【０１１８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１９】
（付記）
請求項１に記載の発明は、人体に対して装着可能とされる機器本体と、カバー部材と、を備え、前記機器本体は内部に電子部品が設けられた筐体を有し、前記筐体の外面は、前記機器本体が人体に装着されたときに人体に対向する側となる裏面を有し、前記カバー部材は、一端が前記筐体に支持されて前記裏面に対して回転して、前記裏面に対して閉じて該裏面を覆っている閉状態と、前記裏面に対して開いて該裏面を露出している開状態と、に移動可能に設けられ、前記カバー部材は、前記閉状態で前記機器本体が人体に装着されたときに人体に対向する側となる対向面を有し、該対向面が当該機器本体を装着する人体の装着面の形状に対応する湾曲形状をなしていることを特徴とする人体装着型電子機器である。
【０１２０】
請求項２に記載の発明は、請求項１に記載の人体装着型電子機器において、前記機器本体は、前記裏面に、外部機器と電気的に接続される接続端子部を外部に露出する開口部を有し、前記カバー部材は、前記閉状態において前記開口部を覆い、前記開状態において前記開口部を露出して前記接続端子部を外部に露出することを特徴とする人体装着型電子機器である。
【０１２１】
請求項３に記載の発明は、請求項１または請求項２に記載の人体装着型電子機器において、前記裏面の前記閉状態で前記カバー部材で覆われる領域は平坦であり、前記カバー部材は、前記裏面の一の方向に沿った両端側の厚みが厚く、前記裏面の中間部に向うに従って、前記一の方向に沿って徐々に厚みが薄くなる形状に形成されていることを特徴とする人体装着型電子機器である。
【０１２２】
請求項４に記載の発明は、請求項１乃至請求項３のいずれかに記載の人体装着型電子機器において、前記カバー部材は、第１のカバー部材と第２のカバー部材とに分割され、
前記第１のカバー部材は、前記閉状態のとき、前記裏面の前記一の方向に沿った一端側から前記裏面の中間部の領域を覆う形状に形成され、前記第２のカバー部材は、前記閉状態のとき、前記裏面の前記一の方向に沿った、前記一端側とは逆の、他端側から前記裏面の中間部の領域を覆う形状に形成されていることを特徴とする人体装着型電子機器である。
【０１２３】
請求項５に記載の発明は、請求項４に記載の人体装着型電子機器において、前記機器本体の前記筐体は、前記一の方向に沿った両端側に、前記機器本体を人体に装着する一対のバンド部材の各々を取り付ける一対のバンド取付部を有し、前記第１および第２のカバー部材は、前記機器本体の前記一対のバンド取付部の各々に、前記一対のバンド部材を取り付けるバンド取付軸を介して回転可能に取り付けられていることを特徴とする人体装着型電子機器である。
【０１２４】
請求項６に記載の発明は、請求項５に記載の人体装着型電子機器において、前記カバー部材を前記閉状態に保持するように位置規制する位置規制部を備えていることを特徴とする人体装着型電子機器である。
【０１２５】
請求項７に記載の発明は、請求項４に記載の人体装着型電子機器において、前記機器本体の前記筐体は、前記一の方向に沿った両端側に、前記機器本体を人体に装着する一対のバンド部材の各々を取り付ける一対のバンド取付部を有し、前記一対のバンド部材の各々は、その一方の端部に設けられたバンド取付軸を介して前記一対のバンド取付部の各々に回転可能に取り付けられ、前記第１及び第２のカバー部材は、前記一対のバンド部材の各々に、前記バンド取付軸と異なる位置に設けられたカバー取付軸を介して回転可能に取り付けられ、前記カバー取付軸は、前記一対のバンド部材の各々において、前記バンド取付軸が設けられた前記一方の端部から他方の端部側に離間した位置に設けられ、前記第１及び第２のカバー部材が前記閉状態にされているとき、前記一対のバンド部材の各々の回転角度に対応して、前記第１及び第２のカバー部材の前記裏面に対する位置が変わることを特徴とする人体装着型電子機器である。
【０１２６】
請求項８に記載の発明は、請求項７に記載の人体装着型電子機器において、前記カバー部材を前記閉状態に保持するように位置規制する第１位置規制部と、前記カバー部材を前記開状態に保持するように位置規制する第２位置規制部と、を備えていることを特徴とする人体装着型電子機器である。
【０１２７】
請求項９に記載の発明は、請求項１乃至請求項８のいずれかに記載の人体装着型電子機器において、前記カバー部材は軟質の合成樹脂によって形成され、前記カバー部材が前記閉状態とされて、前記カバー部材が前記裏面を覆っているときに、前記裏面と前記カバー部材の前記裏面に対向する側の面との間に空気層が形成されていることを特徴とする人体装着型電子機器である。
【０１２８】
請求項１０に記載の発明は、請求項９に記載の人体装着型電子機器において、前記カバー部材は、前記閉状態で前記カバー部材が前記裏面を覆っているときに前記裏面に対向する側となる面に凹部状の断熱空間部を有し、前記空気層は、前記閉状態で前記カバー部材が前記裏面を覆っているときに、前記断熱空間部内に形成されることを特徴とする人体装着型電子機器である。
【０１２９】
請求項１１に記載の発明は、請求項１乃至請求項１０のいずれかに記載の人体装着型電子機器において、前記カバー部材を形成している軟質の合成樹脂は、ウレタン樹脂またはシリコーン樹脂であることを特徴とする人体装着型電子機器である。
【０１３０】
請求項１２に記載の発明は、  人体に対して装着可能とされる機器本体と、カバー部材と、を備え、前記機器本体は内部に電子部品が設けられた筐体を有し、前記筐体の外面は、前記機器本体が人体に装着されたときに人体に対向する側となる裏面を有し、前記機器本体は、前記裏面に設けられた、外部機器と電気的に接続される接続端子部を外部に露出する開口部を有し、
前記カバー部材は、一端が前記筐体に支持されて前記裏面に対して回転して、前記裏面に対して閉じて該裏面を覆っている閉状態と、前記蓋面に対して開いて該裏面を露出している開状態と、に移動可能に設けられ、前記カバー部材は、前記開状態において、前記開口部を露出して前記接続端子部を外部に露出することを特徴とする人体装着型電子機器である。
【０１３１】
請求項１３に記載の発明は、請求項１２に記載の人体装着型電子機器において、前記カバー部材は、第１のカバー部材と第２のカバー部材とに分割され、前記第１のカバー部材は、前記閉状態のとき、前記裏面の前記一の方向に沿った一端側から前記裏面の中間部の領域を覆う形状に形成され、前記第２のカバー部材は、前記閉状態のとき、前記裏面の前記一の方向に沿った、前記一端側とは逆の、他端側から前記裏面の中間部の領域を覆う形状に形成されていることを特徴とする人体装着型電子機器である。
【０１３２】
請求項１４に記載の発明は、請求項１３に記載の人体装着型電子機器において、前記機器本体の前記筐体は、前記一の方向に沿った両端側に、前記機器本体を人体に装着する一対のバンド部材の各々を取り付ける一対のバンド取付部を有し、前記一対のバンド部材の各々は、その一方の端部に設けられたバンド取付軸を介して前記一対のバンド取付部の各々に回転可能に取り付けられ、前記第１及び第２のカバー部材は、前記一対のバンド部材の各々に、前記バンド取付軸と異なる位置に設けられたカバー取付軸を介して回転可能に取り付けられ、前記カバー取付軸は、前記一対のバンド部材の各々において、前記バンド取付軸が設けられた前記一方の端部から他方の端部側に離間した位置に設けられ、前記第１及び第２のカバー部材が前記閉状態にされているとき、前記一対のバンド部材の各々の回転角度に対応して、前記第１及び第２のカバー部材の前記裏面に対する位置が変わることを特徴とする人体装着型電子機器である。
【符号の説明】
【０１３３】
１  機器本体
２  バンド部材
３、４  カバー部材
５  本体ケース
６、２１  バンド取付部
７  裏蓋
８  コネクタ
９  クレードル
９ａ  接続部
１０  連結ピン
１１  断熱部
１１ａ  放熱路
１２  押え板
１３、２４  位置規制部
１４  係合突起部
１５  係合凹部
２０  取付ピン
２５  第１規制部
２６  第２規制部
Ｒ  腕
【図１】
2014238336.tif 000003
【図２】
2014238336.tif 000004
【図３】
2014238336.tif 000005
【図４】
2014238336.tif 000006
【図５】
2014238336.tif 000007
【図６】
2014238336.tif 000008
【図７】
2014238336.tif 000009
【図８】
2014238336.tif 000010
【図９】
2014238336.tif 000011
【図１０】
2014238336.tif 000012
【図１１】
2014238336.tif 000013
【図１２】
2014238336.tif 000014
【図１３】
2014238336.tif 000015
【図１４】
2014238336.tif 000016
【図１５】
2014238336.tif 000017
【図１６】
2014238336.tif 000018
【図１７】
2014238336.tif 000019
【図１８】
2014238336.tif 000020